(57)【要約】【課題】録画予約リストに予約情報を登録するときの手間を低減する。【解決手段】テレビ放送を受信して得られた映像音声信号を記録媒体１１に記録する録画手段１０と、録画手段１０を制御することによって、録画予約リストに登録された予約情報に対応する番組を記録媒体１１に録画する録画予約実行手段２１とを備えた構成において、入力された短縮化情報を記憶する情報記憶手段２５と、情報記憶手段２５に記憶された短縮化情報のうちから予約情報として用いる短縮化情報を指定する情報指定手段２７と、情報指定手段２７によって指定された短縮化情報を録画予約リストに予約情報として登録する情報登録手段２３とを備えている。【選択図】  図１
2007134858.tif 000002
【特許請求の範囲】
【請求項１】
テレビ放送を受信して得られた映像音声信号を記録媒体に記録する録画手段と、
録画手段を制御することによって、録画予約リストに登録された予約情報に対応する番組を記録媒体に記録する録画予約実行手段とを備えた映像音声記録装置において、
入力された短縮化情報を記憶する情報記憶手段と、
情報記憶手段に記憶された短縮化情報のうちから予約情報として用いる短縮化情報を指定する情報指定手段と、
情報指定手段によって指定された短縮化情報を録画予約リストに予約情報として登録する情報登録手段と、
録画予約リストに登録された予約情報のうちから指定された予約情報を短縮化情報として情報記憶手段に記憶させる短縮情報化手段とを備え、
情報記憶手段は短縮化情報をリモコンに設けられた数字キーに対応付けて記憶し、
情報指定手段は、リモコンに設けられたショートカットキーが押下されたときには、情報記憶手段に記憶された短縮化情報を一覧表示した後、短縮化情報の指定が可能な状態に移行し、
且つ、情報指定手段は、短縮化情報の指定が可能となる状態において数字キーが押下されたときには、押下された数字キーに対応付けて情報記憶手段が記憶した短縮化情報が指定されたと見なし、
且つ、情報指定手段は、指定された短縮化情報についての編集の受け付けを行うとともに、前記編集の内容については情報記憶手段の記憶内容に反映させないことを特徴とする映像音声記録装置。
【請求項２】
テレビ放送を受信して得られた映像音声信号を記録媒体に記録する録画手段と、
録画手段を制御することによって、録画予約リストに登録された予約情報に対応する番組を記録媒体に記録する録画予約実行手段とを備えた映像音声記録装置において、
入力された短縮化情報を記憶する情報記憶手段と、
情報記憶手段に記憶された短縮化情報のうちから予約情報として用いる短縮化情報を指定する情報指定手段と、
情報指定手段によって指定された短縮化情報を録画予約リストに予約情報として登録する情報登録手段とを備えたことを特徴とする映像音声記録装置。
【請求項３】
情報記憶手段は短縮化情報をリモコンに設けられた数字キーに対応付けて記憶し、
情報指定手段は、短縮化情報の指定が可能となる状態において数字キーが押下されたときには、押下された数字キーに対応付けて情報記憶手段が記憶した短縮化情報が指定されたと見なすことを特徴とする請求項２に記載の映像音声記録装置。
【請求項４】
情報指定手段は、リモコンに設けられたショートカットキーが押下されたときには、情報記憶手段に記憶された短縮化情報を一覧表示した後、短縮化情報の指定が可能な状態に移行することを特徴とする請求項３に記載の映像音声記録装置。
【請求項５】
録画予約リストに登録された予約情報のうちから指定された予約情報を短縮化情報として情報記憶手段に記憶させる短縮情報化手段を備えたことを特徴とする請求項２から請求項４までのいずれかに記載の映像音声記録装置。
【発明の詳細な説明】
【技術分野】
【０００１】
本発明は、録画予約リストに登録された予約情報に対応する番組を記録媒体に記録する映像音声記録装置に係り、より詳細には、入力されて記憶された短縮化情報のうちから指定された短縮化情報を、録画予約リストに、予約情報として登録する映像音声記録装置に関する。
【背景技術】
【０００２】
例えば、ＤＶＤレコーダ等に録画予約を入力するときには、録画日時、録画開始時刻、録画終了時刻、受信するチャンネル、録画モードのそれぞれを入力する必要があって、手間を要する。このため、以下に示す技術が提案されている。すなわち、この技術では、リモコンを用いて番組のジャンルコードが入力されると、入力されたジャンルコードをメモリに記憶している。そして、テレビ放送信号中のジャンルコードを抜き出し、抜き出したジャンルコードとメモリに記憶されたジャンルコードとを比較して、比較結果が一致するチャンネルを受信するようになっている。その一方で、現在はジャンルが一致する番組は放送されていないが、数時間以内には放送されるようになっており、且つ、該当する番組が複数ある場合、それらの番組を、過去の受信頻度に従った順序で一覧表示している。そして、その一覧に見たい番組が見つかったとき、タイマー予約ボタンを押すと、見たい番組が自動でタイマー予約されるようになっている（例えば、特許文献１参照）。
【特許文献１】特開２００３−２７４２９８号公報
【発明の開示】
【発明が解決しようとする課題】
【０００３】
しかしながら、上記技術を用いる場合では、以下に示す問題を生じていた。すなわち、録画予約をしたい番組のジャンルについては、多岐のジャンルに渡ることが多い。また、録画予約したい番組が、現在から数時間以内に放送されるようになっているとは限らない。従って、上記技術を用いた場合、録画予約が可能になる番組は、狭い範囲に限定されたものとなるので、使い勝手が非常に悪いものとなっていた。
【０００４】
本発明は、上記の問題点を解決するため創案されたものであり、その目的は、録画予約リストに予約情報を登録するときの手間を低減することのでき、且つ、どの短縮化情報を指定すればよいのかの選択を容易にすることのでき、且つ、短縮化情報を指定するための操作を簡単化することのでき、且つ、短縮化情報の入力を簡単化することのでき、且つ、放送時間等の変更がなかったときの番組に対応する短縮化情報を残しつつ、番組の放送時間等の一時的な変更に対応した予約情報を登録することのできる映像音声記録装置を提供することにある。
【０００５】
また本発明に係る映像音声記録装置は、入力されて記憶された短縮化情報のうちから指定された短縮化情報を、録画予約リストに、予約情報として登録することにより、録画予約リストに予約情報を登録するときの手間を低減することのできる映像音声記録装置を提供することにある。
【０００６】
また、上記目的に加え、数字キーの押下によって、予約情報に用いる短縮化情報の指定を可能とすることにより、短縮化情報を指定するための操作を簡単化することのできる映像音声記録装置を提供することにある。
【０００７】
また、上記目的に加え、リモコンに設けられたショートカットキーが押下されたときには、記憶された短縮化情報を一覧表示することにより、どの短縮化情報を指定すればよいのかの選択を容易にすることのできる映像音声記録装置を提供することにある。
【０００８】
また、上記目的に加え、録画予約リストに登録された予約情報のうちから指定した予約情報を短縮化情報として記憶させることにより、短縮化情報の入力を簡単化することのできる映像音声記録装置を提供することにある。
【課題を解決するための手段】
【０００９】
上記の課題を解決するため、本発明に係る映像音声記録装置は、テレビ放送を受信して得られた映像音声信号を記録媒体に記録する録画手段と、録画手段を制御することによって、録画予約リストに登録された予約情報に対応する番組を記録媒体に記録する録画予約実行手段とを備えた映像音声記録装置に適用している。そして、入力された短縮化情報を記憶する情報記憶手段と、情報記憶手段に記憶された短縮化情報のうちから予約情報として用いる短縮化情報を指定する情報指定手段と、情報指定手段によって指定された短縮化情報を録画予約リストに予約情報として登録する情報登録手段と、録画予約リストに登録された予約情報のうちから指定された予約情報を短縮化情報として情報記憶手段に記憶させる短縮情報化手段とを備えており、情報記憶手段は短縮化情報をリモコンに設けられた数字キーに対応付けて記憶し、情報指定手段は、リモコンに設けられたショートカットキーが押下されたときには、情報記憶手段に記憶された短縮化情報を一覧表示した後、短縮化情報の指定が可能な状態に移行し、且つ、情報指定手段は、短縮化情報の指定が可能となる状態において数字キーが押下されたときには、押下された数字キーに対応付けて情報記憶手段が記憶した短縮化情報が指定されたと見なし、且つ、情報指定手段は、指定された短縮化情報についての編集の受け付けを行うとともに、前記編集の内容については情報記憶手段の記憶内容に反映させないようになっている。
【００１０】
すなわち、短縮化情報を情報記憶手段に記憶させた後では、録画予約リストの各項目への入力をしなくても、予約情報に用いる短縮化情報を指定するための操作を入力することで、録画予約リストに予約情報を登録することができる。且つ、指定が可能な短縮化情報の一覧が表示されるので、どの短縮化情報を指定すればよいのかが簡単に判明する。且つ、数字キーを押下するという簡単な操作でもって、予約情報に用いる短縮化情報を指定することができる。且つ、短縮化情報の各項目への入力をしなくても、録画予約リストに登録された予約情報を指定することで、短縮化情報を入力することができる。且つ、情報記憶手段に記憶された短縮化情報を変えることなく、所望の内容に変えた短縮化情報を予約情報として用いることができる。
【００１１】
また本発明に係る映像音声記録装置は、テレビ放送を受信して得られた映像音声信号を記録媒体に記録する録画手段と、録画手段を制御することによって、録画予約リストに登録された予約情報に対応する番組を記録媒体に記録する録画予約実行手段とを備えた映像音声記録装置に適用している。そして、入力された短縮化情報を記憶する情報記憶手段と、情報記憶手段に記憶された短縮化情報のうちから予約情報として用いる短縮化情報を指定する情報指定手段と、情報指定手段によって指定された短縮化情報を録画予約リストに予約情報として登録する情報登録手段とを備えている。
【００１２】
すなわち、短縮化情報を情報記憶手段に記憶させた後では、録画予約リストの各項目への入力をしなくても、予約情報に用いる短縮化情報を指定するための操作を入力することで、録画予約リストに予約情報を登録することができる。
【００１３】
また、上記構成に加え、情報記憶手段は短縮化情報をリモコンに設けられた数字キーに対応付けて記憶し、情報指定手段は、短縮化情報の指定が可能となる状態において数字キーが押下されたときには、押下された数字キーに対応付けて情報記憶手段が記憶した短縮化情報が指定されたと見なすようになっている。すなわち、数字キーを押下するという簡単な操作でもって、予約情報に用いる短縮化情報を指定することができる。
【００１４】
また、上記構成に加え、情報指定手段は、リモコンに設けられたショートカットキーが押下されたときには、情報記憶手段に記憶された短縮化情報を一覧表示した後、短縮化情報の指定が可能な状態に移行するようになっている。すなわち、指定が可能な短縮化情報の一覧が表示されるので、どの短縮化情報を指定すればよいのかが簡単に判明する。
【００１５】
また、上記構成に加え、録画予約リストに登録された予約情報のうちから指定された予約情報を、短縮化情報として、情報記憶手段に記憶させる短縮情報化手段を備えている。すなわち、短縮化情報の各項目への入力をしなくても、録画予約リストに登録された予約情報を指定することで、短縮化情報を入力することができる。
【発明の効果】
【００１６】
本発明によれば、短縮化情報を情報記憶手段に記憶させた後では、録画予約リストの各項目への入力をしなくても、予約情報に用いる短縮化情報を指定するための操作を入力することで、録画予約リストに予約情報を登録することができる。且つ、指定が可能な短縮化情報の一覧が表示されるので、どの短縮化情報を指定すればよいのかが簡単に判明する。且つ、数字キーを押下するという簡単な操作でもって、予約情報に用いる短縮化情報を指定することができる。且つ、短縮化情報の各項目への入力をしなくても、録画予約リストに登録された予約情報を指定することで、短縮化情報を入力することができる。且つ、情報記憶手段に記憶された短縮化情報を変えることなく、所望の内容に変えた短縮化情報を予約情報として用いることができる。このため、録画予約リストに予約情報を登録するときの手間を低減することができ、且つ、どの短縮化情報を指定すればよいのかの選択を容易にすることができ、且つ、短縮化情報を指定するための操作を簡単化することができ、且つ、短縮化情報の入力を簡単化することができ、且つ、放送時間等の変更がなかったときの番組に対応する短縮化情報を残しつつ、番組の放送時間等の一時的な変更に対応した予約情報を登録することができる。
【００１７】
また、本発明によれば、短縮化情報を情報記憶手段に記憶させた後では、録画予約リストの各項目への入力をしなくても、予約情報に用いる短縮化情報を指定するための操作を入力することで、録画予約リストに予約情報を登録することができるため、録画予約リストに予約情報を登録するときの手間を低減することができる。すなわち、録画予約を、簡単に、且つ、短時間に済ませることができる。
【００１８】
また、さらに、数字キーを押下するという簡単な操作でもって、予約情報に用いる短縮化情報を指定することができるので、短縮化情報を指定するための操作を簡単化することができる。
【００１９】
また、さらに、指定が可能な短縮化情報の一覧が表示されるため、どの短縮化情報を指定すればよいのかが簡単に判明する。従って、どの短縮化情報を指定すればよいのかの選択を容易にすることができる。
【００２０】
また、さらに、短縮化情報の各項目への入力をしなくても、録画予約リストに登録された予約情報を指定することで、短縮化情報を入力することができるため、短縮化情報の入力を簡単化することができる。
【発明を実施するための最良の形態】
【００２１】
以下、本発明の実施の形態について図を参照して説明する。
【００２２】
図１は、本発明に係る映像音声記録装置の一実施形態であるＤＶＤレコーダの電気的構成を示すブロック線図である。
【００２３】
本実施形態は、大別すると、録画手段１０、Ｄ／Ａ変換部４、マイクロコンピュータ（以下では、マイコンと称する）７、入力回路部８、リモコン９、および、情報記憶手段２５を備えている。
【００２４】
図において、録画手段１０は、テレビ放送を受信して得られた映像音声信号をＤＶＤ（記録媒体）１１に記録する。このため、チューナ部１、Ａ／Ｄ変換部２、信号処理部３、ディスクドライブ部５を備えている。
【００２５】
詳細には、チューナ部１は、マイコン７から指示されたチャンネルのテレビ放送を受信するとともに、受信して得られたアナログ映像音声信号（映像音声信号）をＡ／Ｄ変換部２に出力する。Ａ／Ｄ変換部２は、チューナ部１から出力されるアナログ映像音声信号をデジタル映像音声信号に変換し、信号処理部３に出力する。
【００２６】
ディスクドライブ部５は、信号処理部３より出力される圧縮処理された映像音声情報に対して符号化等の処理を行うことにより得られたデジタル信号（映像音声信号）を、ＤＶＤ（例えば、ＤＶＤ−Ｒ、ＤＶＤ−ＲＷ、ＤＶＤ−ＲＡＭ等）１１に記録する。また、ＤＶＤ１１に記録されたデジタル信号を読み出し、復調とエラー訂正等の処理を行うことによって、圧縮された映像音声情報を復調する。そして、復調した映像音声情報を信号処理部３に出力する。
【００２７】
信号処理部３は、エンコード部１４を用いることによって、Ａ／Ｄ変換部２から出力されたデジタル映像音声信号をＭＰＥＧ２（音声情報については、ＡＣ−３等）に従って圧縮処理する。そして後、圧縮処理した映像音声情報をストリーミング処理し、ディスクドライブ部５に出力する。また、デコード部１５を用いることにより、ディスクドライブ部５から出力される圧縮された映像音声情報を、映像、音声、サブピクチャの各ストリームに分離した後、ＭＰＥＧ２（音声情報については、ＡＣ−３等）に従って伸長処理する。そして、伸長処理により得られたデジタル映像音声信号をＤ／Ａ変換部４に出力する。
【００２８】
また、信号処理部３は、オンスクリーンディスプレイ部（以下では、ＯＳＤ部と称する）１６を用いることによって、マイコン７から指示された文字や記号等を示す信号を生成し、映像信号に重畳する。
【００２９】
Ｄ／Ａ変換部４は、信号処理部３より出力されるデジタル映像音声信号をアナログ映像音声信号に変換し、外部に設けられたテレビ受像機６に出力する。入力回路部８は、図示されない装置本体の前面パネルに設けられた電源キー等の複数のキースイッチや、リモコン９から送信される赤外線信号を受光する受光ユニット等を備えている。そして、ユーザからの指示が入力されると、入力された指示をマイコン７に出力する。
【００３０】
ここで、リモコン９に設けられたキースイッチについて、図２を参照して説明する。リモコン９の操作面には、電源キー１３１、１〜１２の数字キー１３２、再生、停止、速戻し、速送りの４つのキースイッチ１３３、上下、左右の４方向キー１３４、決定キー１３５、ショートカットキー１３６、および、その他のキースイッチが設けられている。
【００３１】
図１に戻る。情報記憶手段２５は、ＥＥＰＲＯＭ等の不揮発性メモリによって構成され、入力された短縮化情報（後に詳述する）のそれぞれと数字キー１３２とを互いに対応付けて記憶する。
【００３２】
マイコン７は、ＤＶＤレコーダとしての主要動作を制御する。すなわち、リモコン９等に入力されたユーザの指示に従い、チューナ部１が受信するチャンネルを制御する。また、ディスクドライブ部５と信号処理部３とを制御することによって、チューナ部１が受信した番組を、映像音声情報としてＤＶＤ１１に録画する。また、ＤＶＤ１１に録画された映像音声情報を再生して、テレビ受像機６に表示する。
【００３３】
また、マイコン７は、録画予約の受け付けや、録画予約の実行の制御を行う。このため、その機能の一部によって、録画予約実行手段２１、情報処理手段２２、情報登録手段２３、および、短縮情報化手段２４を構成する。
【００３４】
詳細には、録画予約実行手段２１は、録画手段１０を制御することによって、録画予約リストに登録された予約情報（図９（Ａ）参照）に対応する番組をＤＶＤ１１に録画する。情報処理手段２２は、入力される短縮化情報や、情報記憶手段２５に記憶された短縮化情報に関する処理を行う。このため、情報処理手段２２は、リモコン９および入力回路部８と組となることによって、情報指定手段２７を構成する。
【００３５】
情報指定手段２７は、情報記憶手段２５に記憶された短縮化情報のうちから、予約情報（後に詳述する）として用いる短縮化情報を指定する。このため、ショートカットキー１３６が押下されたときには、情報記憶手段２５に記憶された短縮化情報を、対応付けられた数字キー１３２の数値に対応付けて、テレビ受像機６に一覧表示する（図７（Ａ）参照）。そして後には、短縮化情報の指定が可能な状態に移行し、この状態において数字キー（『１』キー〜『１０』キーのうちのひとつ）１３２が押下されたときには、押下された数字キーに対応付けて情報記憶手段２５が記憶した短縮化情報が指定されたと見なす。
【００３６】
情報登録手段２３は、情報指定手段２７によって指定された短縮化情報を録画予約リストに予約情報として登録する。短縮情報化手段２４は、録画予約リストに登録された予約情報のうちから指定された予約情報を、短縮化情報として情報記憶手段２５に記憶させる。
【００３７】
以下に、短縮化情報、および、予約情報について説明する。短縮化情報は、例えば、図７（Ａ）に示した情報であり、録画予約の予約情報（図９（Ａ）参照）として使用可能な情報となっている。すなわち、短縮化情報は、予約情報に準じる情報となっており、予約情報と同じ項目を有していて、項目内容が、予約情報として使われる頻度の高い内容の情報となっている。また、情報記憶手段２５に記憶された状態、あるいは、一覧表示された状態（例えば、図７（Ａ））においては、短縮化情報のそれぞれは数値２０３に対応付けられており、この数値２０３のそれぞれは、リモコン９に設けられた数字キー１３２を示すようになっている。
【００３８】
従って、例えば、数字『３』（２０１により示す）に対応付けて表示された短縮化情報２０２を指定した後、指定した短縮化情報２０２を、図９（Ａ）に示す録画予約リストに、予約情報として登録することを指示するときでは、録画日、開始時刻、終了時刻、受信するチャンネル、録画モードの入力を行うことなく、録画日が火曜日、開始時刻が２１時００分、終了時刻が２３時００分、受信するチャンネルが２０チャンネル、録画モードがＸＰモードである予約情報を、録画予約リストに登録することができる。
【００３９】
図３〜図５は、短縮化情報を録画予約リストに予約情報として登録するときの実施形態の主要動作を示すフローチャートである。必要に応じて同図を参照しつつ、実施形態の動作を説明する。なお、情報記憶手段２５には、図７（Ａ）に示す５つの短縮化情報が既に記憶されているとする。
【００４０】
リモコン９に設けられたショートカットキー１３６を押下すると、情報指定手段２７は、図７（Ａ）に示したように、情報記憶手段２５に記憶された短縮化情報の一覧をテレビ受像機６に表示する（ステップＳ１，Ｓ２）。この表示においては、短縮化情報のそれぞれは数値２０３と対応付けて表示されており、この数値２０３は、リモコン９の数字キー１３２を示すようになっている。すなわち、数値１に対応する短縮化情報は『１』キーに対応することを示しており、数値２〜５のそれぞれに対応する短縮化情報は、『２』キー〜『５』キーのそれぞれに対応することを示している。また、この一覧においては、『変更・追加』ボタン２１１、『キャンセル』ボタン２１２も併せて表示される。
【００４１】
ユーザは、一覧表示された短縮化情報から、録画予約リストに予約情報として登録したい短縮化情報に対応する数字キー１３２を押下する（ステップＳ３，Ｓ４）。このとき、押下した数字キー１３２が『３』キーであるとすると、テレビ受像機６の表示においては、図７（Ｂ）に示したように、『３』キーに対応する短縮化情報にカーソル２２１が表示され、数値３に対応する短縮化情報２０２が指定されていることが示される（ステップＳ５）。
【００４２】
また、表示されるボタンが、『変更・追加』ボタン２１１、『キャンセル』ボタン２１２から、『登録』ボタン２３１、『編集』ボタン２３２、『キャンセル』ボタン２３３の３つのボタンに変更される。且つ、これら３つのボタン２３１〜２３３のうち、『登録』ボタン２３１が選択状態となっていることが示される（図７（Ｂ）では、斜線を用いて、選択状態にあるボタンを示している）。すなわち、図７（Ｂ）に示す表示は、短縮化情報２０２が指定されており、この短縮化情報２０２が、録画予約リストに、予約情報として、直ちに登録できる状態になっていることを示している（ステップＳ６）。
【００４３】
この状態において、リモコン９の決定キー１３５を押下したときには（ステップＳ７，Ｓ８）、選択状態になっている『登録』ボタン２３１が押されたとして、情報登録手段２３は、カーソル２２１が位置する短縮化情報２０２を、予約情報として、録画予約リストに登録する。図９（Ａ）に示す３０１は、上記動作によって録画予約リストに登録された予約情報を示している（ステップＳ９）。そして後、ショートカットキー１３６が押下される前の状態に戻る（ステップＳ１０）。
【００４４】
すなわち、上記において説明したように、ショートカットキー１３６の押下、所望の短縮化情報を指定するための数字キー１３２の押下、および、決定キー１３５の押下、の３つの操作を行うのみで、録画予約リストへの予約情報の登録を行うことができる。
【００４５】
一方、図７（Ｂ）に示す表示状態においては、４方向キー１３４を操作することによって、選択状態となるボタンを、『登録』ボタン２３１、『編集』ボタン２３２、『キャンセル』ボタン２３３、『登録』ボタン２３１という具合に、循環的に移動させることができる（逆方向に移動させることもできる）。このため、４方向キー１３４を操作して、『編集』ボタン２３２を選択状態にした後、決定キー１３５を押下すると、指定した短縮化情報２０２の内容を編集する編集モードに移行する（ステップＳ７，Ｓ２５）。このときでは、テレビ受像機６における表示は、図８（Ａ）に示す表示となる。すなわち、指定された短縮化情報２０２が表示される。また、『登録』ボタン２５１、『キャンセル』ボタン２５２が表示される（ステップＳ５１）。
【００４６】
この表示状態において、短縮化情報２０２を、必要に応じて編集する（例えば、ドラマの最終回であることから、終了時刻を２３時００分から２３時３０分に編集する）（ステップＳ５２，Ｓ６８）。そして、必要な編集が終了したことから、４方向キー１３４を用いて『登録』ボタン２５１を選択状態とした後、決定キー１３５を押下すると、『登録』ボタン２５１が押されたとして、編集の終了した短縮化情報が、録画予約リストに、予約情報として登録される（ステップＳ５２〜Ｓ５４）。そして後、ショートカットキー１３６を押下する前の状態に戻る（ステップＳ５５）。
【００４７】
なお、上記の編集は、予約情報として録画予約リストに登録されることになる短縮化情報に対してのみ有効となっていて、情報記憶手段２５に記憶された短縮化情報（図７の２０２により示される短縮化情報であり、編集される前の短縮化情報）は編集されない。つまり、ステップＳ６８における編集は、録画予約リストに登録されることになる情報に対してのみ有効となるに過ぎない。つまり、編集のための画面に表示された短縮化情報２０２を編集したときであっても、次回にショートカットキー１３６を押下して、短縮化情報の一覧を表示させるときでは、数値３に対応する短縮化情報は、編集されることのなかった短縮化情報２０２となる。
【００４８】
一方、図８（Ａ）に示す表示状態から、短縮化情報２０２を編集した後（編集しなくてもよい）、４方向キー１３４を用いて『キャンセル』ボタン２５２を選択状態にし、決定キー１３５を押下したときでは（ステップＳ５２，Ｓ６１）、編集は取り消しされる（ステップＳ６２）。そして、編集画面に移行する前の状態、すなわち、図７（Ｂ）の表示状態に戻る（ステップＳ６３）。
【００４９】
また、図７（Ｂ）に示す表示となった状態において、４方向キー１３４を操作して、『キャンセル』ボタン２３３を選択状態とし、決定キー１３５を押下したときでは（ステップＳ７，Ｓ２６）、録画予約リストに予約情報を登録することなく、ショートカットキー１３６を押下する前の状態に戻る（ステップＳ１０）。
【００５０】
一方、ショートカットキー１３６を押下した後の表示状態、すなわち、図７（Ａ）に示す表示状態において、４方向キー１３４を操作して、『変更・追加』ボタン２１１を選択状態にし、決定キー１３５を押下すると、動作は、ステップＳ３，Ｓ２１からステップＳ３１に移行する。このため、短縮化情報の変更、追加、削除のための画面（図８（Ｂ）に示す画面）が表示される。この画面においては、情報記憶手段２５に記憶されていた短縮化情報が、数値に対応付けられて一覧表示される。また、『登録』ボタン２７１と『終了』ボタン２７２と『戻る』ボタン２７３とが表示される。
【００５１】
この状態においては、リモコン９に設けられたキースイッチを用いることによって、所望の短縮化情報の内容を所望の内容に変更することができる。また、新しい短縮化情報を追加することができる（このときでは、録画日、開始時刻、終了時刻、チャンネル、録画モードの各項目を入力する）。また、不要となった短縮化情報を削除することができる（ステップＳ３２，Ｓ４６）。２６１は新しく追加された短縮化情報を示している（このとき、短縮化情報２６１にカーソル２６２が位置していて、短縮化情報２６１が指定された状態にあるとする）。
【００５２】
上記状態において、『登録』ボタン２７１を選択状態とし、決定キー１３５を押下すると（ステップＳ３２，Ｓ３３）、指定された短縮化情報２６１が、予約情報として、録画予約リストに登録される（ステップＳ３４）。次いで、情報記憶手段２５の記憶内容が、変更や追加や削除が行われた短縮化情報でもって書き換えされる（ステップＳ３５）。そして後、ショートカットキー１３６を押下する前の状態に戻る（ステップＳ３６）。
【００５３】
一方、短縮化情報の変更、追加、削除を行った（ステップＳ４６）後の状態（図８（Ｂ）に示す状態）において、『終了』ボタン２７２を選択状態とし、決定キー１３５を押下すると（ステップＳ３２，Ｓ４１）、情報記憶手段２５の記憶内容が、変更や追加や削除が行われた短縮化情報でもって書き換えされる（ステップＳ３５）。そして後、ショートカットキー１３６を押下する前の状態に戻る（ステップＳ３６）。
【００５４】
また、短縮化情報の変更、追加、削除を行った（ステップＳ４６）後の状態（図８（Ｂ）に示す状態）において、『戻る』ボタン２７３を選択状態にし、決定キー１３５を押下すると（ステップＳ３２，Ｓ４２）、情報記憶手段２５の記憶内容が、変更や追加や削除が行われた短縮化情報でもって書き換えされる（ステップＳ４３）。そして後、ステップＳ２に移行する。このときでは、情報記憶手段２５に記憶された短縮化情報は、変更や追加や削除が行われた短縮化情報でもって書き換えられている。従って、ステップＳ３８からステップＳ２に移行したときには、この書き換えされた短縮化情報の一覧が表示される。
【００５５】
以上で、短縮化情報を、録画予約リストに、予約情報として登録するときの動作についての説明を終了し、以下に、必要に応じて図６を参照しつつ、補足的な説明を行う。
【００５６】
情報記憶手段２５に記憶させる短縮化情報の入力方法は、ステップＳ４６の説明において述べたように、短縮化情報の各項目を入力する方法となっている。しかし、本実施形態では、この入力方法の他に、以下に示す方法によって、情報記憶手段２５に記憶させる短縮化情報の入力を行うことができる。
【００５７】
図９（Ａ）は、録画予約リストに登録された予約情報の一覧を示している。この録画予約リストに予約情報を登録する方法には２種の方法があり、そのうちの１つの方法は、既に説明した方法、すなわち、情報記憶手段２５に記憶された短縮化情報のうちの所望の短縮化情報を選び、予約情報として登録する方法となっている。そして、他の１つは、従来技術と同様の方法となっている。すなわち、図示されないメニュー画面において録画予約を選択し、図９（Ａ）に示す画面を表示させた状態で、各項目の入力を行う方法となっている。また、この方法においては、入力された予約情報の変更や削除を行うこともできる（図６のステップＳ７１，Ｓ７８）。
【００５８】
また、録画予約の入力となるときでは、『お気入登録』ボタン３１１と『終了』ボタン３１２とが表示されるようになっている。そして、録画予約リストに登録された予約情報のうち、所望の予約情報（例えば、３０２に示す予約情報）を指定する（ステップＳ７２）。そして、『お気入登録』ボタン３１１を選択状態にした後、決定キー１３５を押下すると（ステップＳ７３）、指定された予約情報が、短縮化情報として、情報記憶手段２５に、追加して記憶される（ステップＳ７４）。
【００５９】
従って、例えば、新しいドラマが始まったことから、そのドラマを予約録画するための予約情報を入力したとき、入力した情報を、同時に、短縮化情報として使用することもできるようになっており、短縮化情報の入力の手間を大幅に低減することができるようになっている。
【００６０】
図９（Ｂ）は、上記方法によって、録画予約リストの予約情報が、短縮化情報として、情報記憶手段２５に追加して記憶された後の短縮化情報の一覧を示している。すなわち、図７（Ａ）に示す一覧表示に対して、３２１に示す短縮化情報が追加して表示されることになる。
【００６１】
また、図９（Ａ）に示す表示状態において、『終了』ボタン３１２を選択状態とし、決定キー１３５を押下したときには（ステップＳ７１，Ｓ７５）、録画予約リストに登録された予約情報が、予約情報の記憶エリアに記憶され、録画予約リストへの予約情報の入力を終了する（ステップＳ７６）。
【００６２】
なお、本発明は上記実施形態に限定されず、番組を録画する記録媒体については、ＤＶＤ１１とした場合について説明したが、その他の記録媒体（例えば、ビデオテープ、あるいは、ハードディスクドライブや、その他の光ディスク等）に番組を録画する装置の場合にも、同様に適用することができる。
【００６３】
また、図７（Ａ）に示す表示となった状態において、短縮化情報を指定する方法としては、所望の短縮化情報に対応する数字キー１３２を押下する方法とした場合について説明したが、その他の方法（例えば、所望の短縮化情報をカーソルを用いて指定する方法等）とすることができる。
【図面の簡単な説明】
【００６４】
【図１】本発明に係る映像音声記録装置の一実施形態であるＤＶＤレコーダの電気的構成を示すブロック線図である。
【図２】リモコンの操作面に設けられたキースイッチを示す説明図である。
【図３】短縮化情報を録画予約リストに予約情報として登録するときの実施形態の主要動作を示すフローチャートである。
【図４】短縮化情報を録画予約リストに予約情報として登録するときの実施形態の主要動作を示すフローチャートである。
【図５】短縮化情報を録画予約リストに予約情報として登録するときの実施形態の主要動作を示すフローチャートである。
【図６】録画予約リストに登録された予約情報を、短縮化情報として情報記憶手段に記憶させるときの実施形態の主要動作を示すフローチャートである。
【図７】短縮化情報が一覧表示されたときの表示画面を示す説明図である。
【図８】短縮化情報の編集時の表示画面と、短縮化情報の変更、追加、削除時の表示画面とを示す説明図である。
【図９】録画予約リストに登録された予約情報を、短縮化情報として情報記憶手段に記憶させるときの表示画面を示す説明図である。
【符号の説明】
【００６５】
９  リモコン
１０  録画手段
１１  ＤＶＤ（記録媒体）
２１  録画予約実行手段
２３  情報登録手段
２４  短縮情報化手段
２５  情報記憶手段
２７  情報指定手段
１３２  数字キー
１３５  決定キー
１３６  ショートカットキー
Ｓ２，Ｓ５，Ｓ６８  情報指定手段を構成するステップ
Ｓ８  情報登録手段を構成するステップ
Ｓ７４  短縮情報化手段を構成するステップ
【図１】
2007134858.tif 000003
【図２】
2007134858.tif 000004
【図３】
2007134858.tif 000005
【図４】
2007134858.tif 000006
【図５】
2007134858.tif 000007
【図６】
2007134858.tif 000008
【図７】
2007134858.tif 000009
【図８】
2007134858.tif 000010
【図９】
2007134858.tif 000011